(57)【要約】      （修正有）【課題】展示用台の提供。【解決手段】透明プラスチック或いはガラス製の板或いは積層板を具え、その底部に嵌め溝が凹設され、該嵌め溝内に所定数量の発光ダイオード２の回路基板３が嵌設され、並びに電源が外接されて発光ダイオードが点灯し、別に板或いは積層板の上表面に円弧形或いは環状円弧形の浅溝４が設けられ、円弧形展示物の放置及び集光作用発生に供され、発光ダイオードが発生する光束が透明プラスチック或いはガラスの板の比較的薄い円弧形或いは環状円弧形浅溝を透過し且つ円弧面の集光作用を受けて、板上に設置された展示物に対するライトアップを行い、別にライトアップ用の光源を設置する必要がなく、ナイトランプ或いは停電時の照明としても使用できるほか、携帯移動に便利とされる。【選択図】図２
0003112829.tif 000002
【実用新案登録請求の範囲】
【請求項１】
台主体、発光ダイオード及び回路基板で構成された展示用台において、該台主体が透明プラスチック或いはガラスで形成された板或いは積層板とされ、その底部に所定サイズの嵌め溝が凹設され、該嵌め溝内に所定数量の発光ダイオードを具えた回路基板が嵌設され、台主知あの上表面に円弧形或いは環状円弧形の浅溝が形成され、回路基板と外接電源或いは内蔵電池が接続されることで発光ダイオードが点灯することを特徴とする、展示用台。
【請求項２】
請求項１記載の展示用台において、台主体の嵌め溝にあって発光ダイオードに対応する位置に発光ダイオードを収容する凹孔が形成されたことを特徴とする、展示用台。
【請求項３】
請求項１記載の展示用台において、回路基板の電気回路中に電子制御回路が設けられて発光ダイオードに光線移動及び点滅を形成させることを特徴とする、展示用台。
【請求項４】
請求項１記載の展示用台において、発光ダイオードが回路基板の下方に取り付けられて下向きの照射を形成し、下層棚板に対する照明光源を提供することを特徴とする、展示用台。
【考案の詳細な説明】
【技術分野】
【０００１】
本考案は一種の展示用台に係り、内蔵した発光ダイオードにより展示物をライトアップして展示効果を高めるほか、ナイトランプ或いは停電時の照明としても使用でき、また携帯移動に便利である、展示用台に関する。
【背景技術】
【０００２】
商品売り場或いは展覧会では各種の商品が展示され、特に、水晶、ガラス製品、、宝飾、腕時計等の展示では商品展示の効果を高めるために、往々にして展示物の周囲に照明が設置されて商品をライトアップし、展示物の美観と稜線を強調し、並びに客が触るのを防止しまた検査に便利としている。しかし照明を設置してライトアップするのは配線に手間と時間がかかり、また光源体積が大きく、外観を損ない、また高いコストがかかり不経済であり、また光源の高温が展示物或いは木製台に亀裂、損壊を発生させ、また携帯して移動して展示或いは展覧会に合わせて速やかに組み立てて使用しにくく、このような欠点に対して改善の必要がある。
【考案の開示】
【考案が解決しようとする課題】
【０００３】
本考案の主要な目的は、一種の展示用台を提供することにあり、それは透明プラスチック或いはガラスで形成された板或いは積層板を具え、その底部に嵌め溝が凹設され、該嵌め溝内に所定数量の発光ダイオード（ＬＥＤ）の回路基板が嵌設され、並びに電源が外接されて発光ダイオードが点灯し、別に板或いは積層板の上表面に円弧形或いは環状円弧形の浅溝が設けられ、円弧形展示物の放置及び集光作用発生に供され、発光ダイオードが発生する光束が透明プラスチック或いはガラスの板の比較的薄い円弧形或いは環状円弧形浅溝を透過し且つ円弧面の集光作用を受けて、板上に設置された展示物に対するライトアップを行い、別にライトアップ用の光源を設置する必要がなく、速やかに有効で便利な展示効果を提供するものとする。
【０００４】
本考案の次の目的は、一種の展示用台を提供することにあり、それは、その光源が直接板或いは積層板内に取り付けられ、電源を外接することで使用でき、展示或いは展示会に合わせて携帯して使用でき、便利で速やかに使用でき実用的であるものとする。
【０００５】
本考案の別の目的は、一種の展示用台を提供することにあり、それは、展示棚用の棚板とされ、並びに上或いは下向きにライトアップでき、且つ直流電源を供給してナイトランプ或いは停電用の照明として使用でき、使用効果が拡大され経済的で実用的であるものとする。
【課題を解決するための手段】
【０００６】
請求項１の考案は、台主体、発光ダイオード及び回路基板で構成された展示用台において、該台主体が透明プラスチック或いはガラスで形成された板或いは積層板とされ、その底部に所定サイズの嵌め溝が凹設され、該嵌め溝内に所定数量の発光ダイオードを具えた回路基板が嵌設され、台主知あの上表面に円弧形或いは環状円弧形の浅溝が形成され、回路基板と外接電源或いは内蔵電池が接続されることで発光ダイオードが点灯することを特徴とする、展示用台としている。
請求項２の考案は、請求項１記載の展示用台において、台主体の嵌め溝にあって発光ダイオードに対応する位置に発光ダイオードを収容する凹孔が形成されたことを特徴とする、展示用台としている。
請求項３の考案は、請求項１記載の展示用台において、回路基板の電気回路中に電子制御回路が設けられて発光ダイオードに光線移動及び点滅を形成させることを特徴とする、展示用台としている。
請求項４の考案は、請求項１記載の展示用台において、発光ダイオードが回路基板の下方に取り付けられて下向きの照射を形成し、下層棚板に対する照明光源を提供することを特徴とする、展示用台としている。
【考案の効果】
【０００７】
本考案は透明プラスチック或いはガラス製の板或いは積層板を具え、その底部に嵌め溝が凹設され、該嵌め溝内に所定数量の発光ダイオード（ＬＥＤ）の回路基板が嵌設され、並びに電源が外接されて発光ダイオードが点灯し、別に板或いは積層板の上表面に円弧形或いは環状円弧形の浅溝が設けられ、円弧形展示物の放置及び集光作用発生に供され、発光ダイオードが発生する光束が透明プラスチック或いはガラスの板の比較的薄い円弧形或いは環状円弧形浅溝を透過し且つ円弧面の集光作用を受けて、板上に設置された展示物に対するライトアップを行い、別にライトアップ用の光源を設置する必要がなく、ナイトランプ或いは停電時の照明としても使用できるほか、携帯移動に便利とされている。
【考案を実施するための最良の形態】
【０００８】
本考案は台主体１、発光ダイオード２及び回路基板３が組み合わされてなる。そのうち、台主体１は透明プラスチック（例えばアクリル）或いはガラスで形成された板或いは積層板とされ、その底部に所定サイズの嵌め溝１０が凹設され、該嵌め溝１０内に所定数量の発光ダイオード２を具えた回路基板３が嵌設され、嵌め溝１０にあって発光ダイオード２に対応する位置には発光ダイオード２を収容する凹孔１１が形成されている。回路基板３が外接電源或いは嵌め置かれた電池に接続されて電源と連通すると、発光ダイオード２が点灯する。台主体１の上表面には円弧形或いは環状円弧形の浅溝４が形成され、円弧形展示物の設置と集光作用の発生に供され、別に回路基板３に電子制御回路が設けられ、光線移動及び点滅の作用を達成し、これにより展示の多様性が増される。また発光ダイオード２は回路基板３の下方に取り付け可能で、これにより本考案が展示棚棚板とされて下向きの照射作用を形成し、下層棚板の照明光源を提供する。
【０００９】
実際の使用時に、使用者は本考案を展示棚或いは展示ウインドウの適当な位置に置き、更に本考案の上面に展示物を置く。円弧形展示物は浅溝４と合わせて放置に使用され、滑動、位置ずれを防止でき、その後、回路基板３を挿入方式で電源に外接するか或いは電池電源をオンすれば、それに接続された発光ダイオード２が点灯し、発光ダイオード２が発生する光束が、台主体１の厚さの比較的薄い円弧形或いは環状円弧形の浅溝４を透過し、円弧面の集光作用により、台主体１の上に置かれた展示物に対するライトアップの作用を提供し、快速便利で有効な展示効果を達成する。その光線は柔和で消耗電力が小さく、長時間使用でき、展示物の損壊を形成せず、並びに木台と合わせて使用可能である。且つ電力との接続に便利で、並びに一体の構造とされ、台の体積或いは重量を増すことがなく、ゆえに携帯して展示或いは展覧会に使用できる。更に、全体の製造コストが低く、損壊しにくく、ゆえに展示棚の棚板として使用可能であるほか、ナイトランプ或いは停電時照明装置としても使用でき、使用効果が拡大されて経済的である。
【００１０】
本考案の構造及び装置は市場及び刊行物上に見られず、快速便利に有効な展示用ライトアップ用光線を提供できるほか、展示或いは展覧会に携帯して使用でき、またナイトランプ或いは停電時照明装置としても使用でき、機能上明らかに改善されており、十分に創作或いは改良の要件に符合する。
【図面の簡単な説明】
【００１１】
【図１】本考案の立体図である。
【図２】本考案の立体分解図である。
【図３】本考案の断面図である。
【図４】本考案の別の実施例の立体図である。
【図５】本考案の別の実施例の立体分解図である。
【図６】本考案の別の実施例の断面図である。
【図７】本考案が展示棚に使用された実施例の立体図である。
【符号の説明】
【００１２】
１  台主体        ２  発光ダイオード
３  回路基板      ４  浅溝
１０  嵌め溝      １１  凹孔
【図１】
0003112829.tif 000003
【図２】
0003112829.tif 000004
【図３】
0003112829.tif 000005
【図４】
0003112829.tif 000006
【図５】
0003112829.tif 000007
【図６】
0003112829.tif 000008
【図７】
0003112829.tif 000009